(57)【要約】【課題】腰の上部、肩などで体感する体感重量を軽減し、使用者がより軽く感じて背負いやすく、動きやすく疲れを感じさせない負担が少ないランドセルを提供すること。【解決手段】ランドセルの背垂れ部および／または収納本体の側壁部を構成する主シート材の少なくとも一部として、繊維糸条を織成または編成した繊維布と合成樹脂からなる繊維強化樹脂シート材を用いてなることを特徴とするランドセル。【選択図】図１
2013202202.tif 000002
【特許請求の範囲】
【請求項１】
ランドセルの背垂れ部および／または収納本体の側壁部を構成する主シート材の少なくとも一部として、繊維糸条を織成または編成した繊維布と合成樹脂からなる繊維強化樹脂シート材を用いてなることを特徴とするランドセル。
【請求項２】
前記繊維糸条が炭素繊維糸条であることを特徴とする請求項１記載のランドセル。
【請求項３】
前記繊維布が、平織りまたは綾織りの織物であることを特徴とする請求項１または２記載のランドセル。
【請求項４】
前記繊維強化樹脂シート材が、厚さ０．３〜１．０ｍｍ、目付２００〜６００ｇ／ｍ2 であることを特徴とする請求項１〜３のいずれかに記載のランドセル。
【請求項５】
前記ランドセルの背垂れ部および／または収納本体の側壁部を構成する主シート材が、前記繊維強化樹脂シート材をランドセルの外側にし、かつ、該繊維強化樹脂シート材の内側に合成皮革のシートを使用してなる２層構造のものであることを特徴とする請求項１〜４のいずれかに記載のランドセル。
【発明の詳細な説明】
【技術分野】
【０００１】
本発明は、全体重量を軽減し、かつ背負う者のより背中側にランドセルの重心を位置させることによって、ランドセルを背負うことにより使用者が受ける体感重量を軽減化させるランドセルに関する。
【０００２】
特に、背負った子供の腰の上部に加わる圧力が軽減され、それにより、腰や全身で受ける重量負担を軽減化できるランドセルに関するものである。
【背景技術】
【０００３】
主として小学生が通学時に教材を入れて背負うランドセルは、近年の教科書やノートの大型化や教材の多種類・多様化に伴い、大容量化・大型化の傾向にある。
【０００４】
したがって、ランドセルの全体重量が重くなるほか、その収容物も加えた使用時には従来よりもかなりの重量化の傾向にあって、低学年〜中学年の生徒が背負ったときなど、肩への負担や全身への負担が大きくなってきている。
【０００５】
子供の身長、体重などの体格は、ランドセルの大型化に比べては大きくなっておらず、ランドセルを背負ったとき、子供が腰の上部、肩等で受ける圧力は大きくなっているのである。
【０００６】
しかし、子供の腰の上部等に加わる圧力という点に着目し、かつそれを軽減させるためのランドセルの構造に及ぶ検討は、従来は、例えば、背環周辺部や背負いベルトの改良等の肩部周辺に関係する検討の他はほとんどなされていない。
【０００７】
すなわち、従来の検討は、具体的には、例えばランドセル本体の背当て部の上部と背負いベルトの上部を紐状接続部で繋いで、ランドセル本体の上部付近を上方に引き上げてかつ使用者の肩側に引き寄せて反り返りにくくしたものの提案（特許文献１）や、あるいは、背負いベルトの外縁形状を湾曲した幅広のものとすることや、背負いベルト内に弾性芯材を入れてフィット性や柔軟性の改善や荷重分散をさせるようにすることの提案（特許文献２）、あるいは、背負いベルトの使用者の身体に接触する部分の少なくとも一部に、背負いベルトの形状を変更可能にした樹脂製形状保持テープを付設することの提案（特許文献３）など、専ら背負い方に関連する肩周辺部や背中の上部付近などでのランドセル構造に着目した検討がなされているにすぎないものであった。
【０００８】
特に、ランドセル本体を構成する収納本体部や背垂れ部の素材やその構造自体についての検討はほとんどなされてきておらず、その理由は、「ランドセル」という商品の概念が、合成皮革あるいは天然皮革を主たる素材にして、多数の教科書やノートを収納するため強固で頑丈に形成され、そのため重いことも当然で、それ故、背負って使用されるものであるという既成概念に主によると思われる。
【０００９】
すなわち、従来なされてきた検討対象は、ランドセルを大きな負担感を感ずることなく背負うための背負いベルトの素材、形状、構造、長さの調整機構などの工夫や改良がせいぜいであって、ランドセルの収納本体部や背垂れ部といった主要構造部に対する素材やその構造自体等について重量に関わった検討はなされていなかった。
【先行技術文献】
【特許文献】
【００１０】
【特許文献１】特開２００２−３６９７０７号公報
【特許文献２】実用新案登録第３１３８９６０号公報
【特許文献３】特開２００８−５４９４０号公報
【発明の概要】
【発明が解決しようとする課題】
【００１１】
上述したような、ランドセルを大きな負担感を感ずることなく背負うための背負いベルトの素材、形状、構造、長さの調整機構などの工夫や改良だけでは、ランドセルの大容量化・大型化の時代に、軽量化の効果としてまだ十分なものとは言えず、改善の余地がある。
【００１２】
本発明の目的は、上述したような点に鑑み、腰の上部、肩などで体感する体感重量を軽減し、使用者がより軽く感じて背負いやすく、動きやすく疲れを感じさせない負担が少ないランドセルを提供することにある。
【課題を解決するための手段】
【００１３】
上述した目的を達成する本発明のランドセルは、以下の（１）の構成からなる。
（１）ランドセルの背垂れ部および／または収納本体の側壁部を構成する主シート材の少なくとも一部として、繊維糸条を織成または編成した繊維布と合成樹脂からなる繊維強化樹脂シート材を用いてなることを特徴とするランドセル。
【００１４】
また、かかる本発明のランドセルにおいて、好ましくは、以下の（２）〜（５）のいずれかの構成としたものである。
（２）前記繊維糸条が炭素繊維糸条であることを特徴とする上記（１）記載のランドセル。
（３）前記繊維布が、平織りまたは綾織りの織物であることを特徴とする上記（１）または（２）記載のランドセル。
（４）前記繊維強化樹脂シート材が、厚さ０．３〜１ｍｍ、目付２００〜６００ｇ／ｍ2 であることを特徴とする上記（１）〜（３）のいずれかに記載のランドセル。
（５）前記ランドセルの背垂れ部および／または収納本体の側壁部を構成する主シート材が、前記繊維強化樹脂シート材をランドセルの外側にし、かつ、該繊維強化樹脂シート材の内側に合成皮革のシートを使用してなる２層構造のものであることを特徴とする上記（１）〜（４）のいずれかに記載のランドセル。
【発明の効果】
【００１５】
請求項１にかかる本発明のランドセルによれば、使用者が背負ったときに腰の上部、肩、全身などで体感する体感重量を軽減でき、使用者が軽く感じて背負いやすく、動きやすく疲れをより感じさせない、重量負担が少ないランドセルが提供される。
【００１６】
かかる本発明のランドセルによれば、体感重量を軽くできるということ、また運動性の良さも確保されているということは、該ランドセルを使用する子供の体格の成長面、健康面に資するばかりか、通学途上などで咄嗟の敏捷な身体の動きが要されるときなどでも、それができるようになり思わぬ事故、災害や事件から児童を保護できることにもつながる。
【００１７】
また、請求項２〜５のいずれかにかかる本発明のランドセルによれば、上述した請求項１にかかる本発明のランドセルの効果を、より明確にかつより大きく有するランドセルを提供することができる。
【図面の簡単な説明】
【００１８】
【図１】本発明にかかるランドセルの一実施態様例をモデル的に示した外観斜視図である。
【図２】本発明にかかるランドセルの他の実施態様例をモデル的に示した外観斜視図である。
【図３】本発明にかかるランドセルの他の実施態様例をモデル的に示した外観斜視図である。
【図４】本発明にかかるランドセルの他の実施態様例をモデル的に示した外観斜視図である。
【図５】本発明にかかるランドセルの背垂れ部および／または収納本体の側壁部を構成する主シート材の断面構造をモデル的に示した横断面図である。
【発明を実施するための形態】
【００１９】
以下、図面などを用いて更に詳しく本発明のランドセルについて説明する。
【００２０】
本発明のランドセル１は、図１〜図４、図５に要部を示したように、ランドセル収納本体２と２本の背負いベルト６を有してなり、背垂れ部３（「かぶせ」とも呼ばれる）および／または収納本体２の側壁部４を構成する主シート材５（図５）の少なくとも一部として、繊維糸条を織成または編成した繊維布９と合成樹脂からなる繊維強化樹脂シート材７を用いてなることを特徴とする。
【００２１】
かかる本発明のランドセルは、背垂れ部３および収納本体２の側壁部の全てを合成皮革または天然皮革で形成した場合と比較して、該繊維強化樹脂シート材７を使用した部分において、部材として薄いものとして形成できる。
【００２２】
その結果、背垂れ部３および収納本体２の側壁部の全てを合成皮革または天然皮革で形成した場合と比較して、背垂れおよび／または収納本体２の側壁部４の各部の重量を顕著に軽くできる。
【００２３】
繊維糸条は、特に繊維素材が限定されるものではなく、ナイロン繊維糸条、ポリエステル繊維糸条なども使用できるが、繊維強化プラスチック材を構成する繊維糸条として従来から知られている炭素繊維糸条（黒鉛繊維糸条を含む概念である）あるいはガラス繊維糸条を好ましく使用できる。あるいは高弾性で耐刃性に優れた芳香族ポリアミド繊維（アラミド繊維）糸条、金属繊維なども好ましく使用することができる。
【００２４】
中でも、炭素繊維糸条は、特に強度も強く、ガラス繊維と比較して軽くできるので好ましい。ガラス繊維は、比重が２よりも大きいのが通常であるが、炭素繊維は比重１．７〜１．８程度であり、より軽くなる。
【００２５】
繊維布（樹脂を含まない状態）の目付は１００〜３００ｇ／ｍ2 であることが好ましく、樹脂は目付で１００〜３００ｇ／ｍ2 程度有しているものが好ましい。なお、因みに皮革の比重は約１．０である。したがって、繊維強化樹脂シート材７は、皮革を使用するときの該厚さよりも、１／２〜１／４程度の厚さになるようにして使用することが肝要であり、厚さ０．３ｍｍ〜５ｍｍ程度、目付４００〜８００ｇ／ｍ2 程度であるものを使用することが好適である。より好ましくは、厚さ０．３ｍｍ〜１．０ｍｍ程度、目付２００〜６００ｇ／ｍ2 程度であるものを使用するのがよい。
【００２６】
特に、従来のランドセルでは、背垂れ部３および収納本体２の側壁部を合成皮革または天然皮革で形成した場合には、合成皮革または天然皮革を、表側と裏側の合計２層を使用して、その中間層になる芯地の表裏面に、表と裏の各合成皮革または天然皮革を貼り付けて、合計で３層の積層シートでランドセルを構成するのが通常であるが、本発明のランドセルにおいては、芯地を使用する必要はなく、裏側となる合成皮革あるいは天然皮革８（図５）に表側となる繊維強化樹脂シート材７を直接貼りつけて、ランドセルの背垂れ部３および／または収納本体２の側壁部４を構成する主シート材として使用してランドセルを構成することができ、この点でも軽量化に寄与することができる。
【００２７】
繊維強化樹脂シート材７は、硬板状ではなく、可撓性を有する柔軟なものを使用することが重要である。
【００２８】
樹脂としては、エポキシ樹脂、不飽和ポリエステル樹脂、ポリウレタン樹脂、ジアリルフタレート樹脂、あるいはフェノール樹脂等の熱硬化性マトリクス樹脂が使用可能である。樹脂中には、硬化温度が５０〜２００℃となるように硬化剤その他の付与剤、例えば可撓性付与剤などが添加されてもよい。
【００２９】
あるいは、樹脂として、ナイロン、ＰＰＳ（ポリフェニレンサルファイド）、ＰＥＥＫ（ポリエーテルエーテルケトン）などの熱可塑性樹脂を使用してもよい。
【００３０】
樹脂は、繊維布にコーティング加工あるいは含浸処理をして、一体的に繊維強化樹脂シート材を製造することができる。あるいは、樹脂フィルムシートを別途作り、繊維布にラミネート処理して、一体的に繊維強化樹脂シート材を製造することができる。
【００３１】
本発明において、繊維布は、織物あるいは編物であることが重要であり、中でも平織りまたは綾織りの織物であることが強度的に強くでき好ましい。不織布は、単独（１００％）使いでは強度面で問題があり採用し難く、デザイン重視等の点で使用するのであれば、織物あるいは編物と併用する形で使用するのがよい。
【００３２】
特に、炭素繊維の繊維布を使用する場合には、繊維布の重量（目付）を、強度面の確保をしつつより軽くでき、そのため樹脂シートとして使用する樹脂量（目付）も少なくて済むのであり、本発明の効果を明確に発揮することができる。
【００３３】
樹脂は、透明あるいは不透明のいずれのものも使用できるが、ランドセルとしての外観、デザイン的には透明（透明）あるいは有色透明ないし有色半透明のものが好ましい。特に、近年のランドセルは、カラーのバリエーションも豊富になっているので、そのランドセルの全体の色調に合わせて合成樹脂を有色透明〜有色半透明のものとして構成するのがよい。樹脂の着色は、樹脂の原料段階で所望する色彩の顔料を該樹脂に添加することにより行うことができる。
【００３４】
無色であれ有色であれ、透明ないしは半透明な樹脂を用いて繊維強化樹脂シート材を構成する場合には、該ランドセルは、背垂れ部および／または収納本体の側壁部を構成する主シート材として繊維強化樹脂シート材を使用していることを見る者に積極的にアピールできるように、該繊維強化樹脂シート材をランドセルの外側にして、見えるように使用することが好ましい。本発明のランドセルが持つ商品コンセプトが、その外観上も明確となり、軽さと明るさを求める個人のライフスタイルや価値観等にも適合しやすいと考えられるからである。
【００３５】
特に、炭素繊維布が樹脂層を通して肉眼で見えるものは、軽量でかつスポーティ感を与え、更に黒い色が強靱で近代的な印象を与えるので、従来から大きな変更もなく使用されてきたランドセルにデザイン的にも斬新さをもたらすことができる。また、炭素繊維は樹脂強化繊維としても、本来非常に優れたものであり、その使用部材全体の高強度化に効果が大きい。
【００３６】
その場合、部材の構造としては、該繊維強化樹脂シート材をランドセルの外側にし、かつ該繊維強化樹脂シート材の内側の、使用者の背中に接する側の面として合成皮革または天然皮革の皮革シートを使用した積層構造のものとして使用されるのが好ましい。この態様は、中間層として芯地を使用せず、かつ本発明にかかる背垂れ部および／または収納本体の側壁部を構成する繊維布含有樹脂シート部材が、従来の合成皮革使用のものよりも薄いことと相俟って、全体を薄く軽く形成することができる。
【００３７】
上述したような繊維強化樹脂シート材をランドセルの外側に使用して見えるようにした本発明のランドセルの外観斜視図を図１〜図４に示した。
【００３８】
これらは、イメージ図というべきものであるが、図１〜図４でそれぞれ繊維布の織組織等を変えたものを示している。図中の符合は前述したとおりである。
【００３９】
図１は太い繊維糸条（例えば、３００〜１５００ｄｔｅｘ）を経糸と緯糸に使用して平織りで製織したもの、図２はやや細い繊維糸条（例えば、５０〜３００ｄｔｅｘ）を経糸と緯糸に使用して平織りで製織したもの、図３はさらに細い繊維糸条（例えば、１０〜５０ｄｔｅｘ）を経糸と緯糸に使用して平織りで製織したもの、図４はやや細い繊維糸条を経糸と緯糸に使用して杉綾織りで製織したものを示している。これら図示したもののいずれも、背垂れ部および／または収納本体の側壁部を構成する主シート材として、該背垂れ部および／または収納本体の側壁部の周縁部よりも薄く（凹んで）形成されており、見た感じでも軽量さを与えることができる。特に細い繊維糸条を使用したものは、繊維布を薄く構成でき、その結果、繊維強化樹脂シート材としても、強度が許す限り薄く形成することができる。
【００４０】
図５は、芯地を使用することなく、繊維強化樹脂シート材５を、裏側の地である合成皮革または天然皮革８に直接貼り合わせた構造を示している。こうした積層構造にすると、従来の合成皮革等を２層使用し、その中間層として芯地を使用する場合と比較して、総厚さで１／３〜２／３程度と薄くでき、重量では背垂れ部、収納本体の側壁部それぞれで約１／２〜３／４程度となる軽量化を達成することができる。
【００４１】
本発明のランドセルにおいては、背垂れ部３および／または収納本体２の側壁部４の重量を、従来のものに比較して１５〜２５％程度削減することができる。ランドセル全体の重量からすると、この比率はもっと小さくなるが、この重量減少部は、背垂れ部および／または収納本体の側壁部でのものなので、ランドセルの重心は背負う者の身体により近い側に位置することとなり、背負ったときに感ずる重量モーメントが小さくなり、現実の重量減以上に軽量感を体感することができる。
【符号の説明】
【００４２】
１：ランドセル
２：ランドセルの収納本体
３：背たれ
４：収納本体の側壁部
５：主シート材
６：背負いベルト
７：繊維強化樹脂シート材
８：合成皮革または天然皮革
９：繊維布
【図１】
2013202202.tif 000003
【図２】
2013202202.tif 000004
【図３】
2013202202.tif 000005
【図４】
2013202202.tif 000006
【図５】
2013202202.tif 000007